(57)【要約】      （修正有）【課題】光配線ユニット内部の部品のメンテナンス作業を容易に行うことができる光ファイバ収容トレイを提供する。【解決手段】筐体１１に対してスライド可能な光ファイバ収容トレイ１２であって、第１光コネクタ接続部を備えるトレイ本体２０と、第２光コネクタ接続部を備えるプレート３０とを有し、プレートは、トレイ本体に対して分離可能であり、筐体に対して固定可能であることを特徴とする光ファイバ収容トレイである。【選択図】図４
2019211698.tif 000002
【特許請求の範囲】
【請求項１】
筐体に対してスライド可能な光ファイバ収容トレイであって、
第１光コネクタ接続部を備えるトレイ本体と、第２光コネクタ接続部を備えるプレートとを有し、
前記プレートは、前記トレイ本体に対して分離可能であり、前記筐体に対して固定可能である
ことを特徴とする光ファイバ収容トレイ。
【請求項２】
請求項１に記載の光ファイバ収容トレイであって、
前記トレイ本体と前記プレートとの相対位置を保持する保持部をさらに有する
ことを特徴とする光ファイバ収容トレイ。
【請求項３】
請求項２に記載の光ファイバ収容トレイであって、
前記保持部は、保持部本体と、前記保持部本体に保持される保持片とを備え、
前記保持部本体又は前記保持片が弾性変形することにより、前記保持部本体が前記保持片を保持可能となる
ことを特徴とする光ファイバ収容トレイ。
【請求項４】
請求項１〜３のいずれかに記載の光ファイバ収容トレイであって、
前記トレイ本体との間で光ファイバを収容する蓋部をさらに有する
ことを特徴とする光ファイバ収容トレイ。
【請求項５】
請求項１〜４のいずれかに記載の光ファイバ収容トレイであって、
前記トレイ本体と前記プレートとの相対移動の量を所定量で規制するストッパが設けられている
ことを特徴とする光ファイバ収容トレイ。
【請求項６】
請求項５に記載の光ファイバ収容トレイであって、
前記ストッパは、前記トレイ本体と前記プレートとの相対移動の方向と交差する方向に突出するように前記蓋部に設けられている
ことを特徴とする光ファイバ収容トレイ。
【請求項７】
筐体と、前記筐体に対してスライド可能な光ファイバ収容トレイとを有する光配線ユニットであって、
前記光ファイバ収容トレイは、
第１光コネクタ接続部を備えるトレイ本体と、第２光コネクタ接続部を備えるプレートとを有し、
前記プレートは、前記トレイ本体に対して分離可能であり、前記筐体に対して固定可能である
ことを特徴とする光配線ユニット。
【請求項８】
筐体と、前記筐体に対してスライド可能な光ファイバ収容トレイとを有する光配線ユニットの製造方法であって、
前記光ファイバ収容トレイは、第１光コネクタ接続部を備えるトレイ本体と、第２光コネクタ接続部を備えるプレートとを有し、前記プレートは、前記トレイ本体に対して分離可能であり、
前記筐体に前記光ファイバ収容トレイをスライドさせて挿入すること、
前記筐体に対して前記プレートを固定すること
を特徴とする光配線ユニットの製造方法。
【発明の詳細な説明】
【技術分野】
【０００１】
本発明は、光ファイバ収容トレイ、光配線ユニット及び光配線ユニットの製造方法に関する。
【背景技術】
【０００２】
光接続箱や光配線箱等を構成する光配線ユニットとして、複数の光ファイバ収容トレイを筐体内に挿入して収容するものが知られている。このような光配線ユニットに関して、例えば、特許文献１には、光ファイバ収容トレイ（図１及び図２に示す光ファイバ用トレイ４）が筐体（図１及び図２に示すトレイ収容棚５）に対してスライド移動できるように支持された光配線ユニットが開示されている。特許文献１に記載されている光配線ユニットでは、光ファイバ収容トレイに設けられた光ケーブル導入部（図１及び図２に示す通線用ゲート３５）から複数の光ファイバが光ファイバ収容トレイの内部に導入されている。そして、導入された複数の光ファイバの、光ケーブル導入部側とは反対側の端部は、光ファイバ収容トレイに設けられた複数の光アダプタにそれぞれコネクタ接続されている。
【先行技術文献】
【特許文献】
【０００３】
【特許文献１】特開２００５−１５７１９５号公報
【発明の概要】
【発明が解決しようとする課題】
【０００４】
特許文献１に記載されるような光配線ユニットにおいて、導入された複数の光ファイバの光ケーブル導入部側の端部が、筐体に固定された光アダプタにコネクタ接続されることがある。ところが、光ケーブル導入部は光ファイバ収容トレイの引き出し方向の奥側（後側）に配置されている。このため、例えば筐体に固定された光アダプタに接続される光コネクタに関して交換などの作業が必要な場合、光ファイバ収容トレイ内部に収容された複数の光ファイバが邪魔になって容易に作業をすることができないことがあった。
【０００５】
本発明は、光配線ユニット内部の部品のメンテナンス作業を容易に行うことができる光ファイバ収容トレイを提供することを目的とする。
【課題を解決するための手段】
【０００６】
本発明の幾つかの実施形態は、筐体に対してスライド可能な光ファイバ収容トレイであって、第１光コネクタ接続部を備えるトレイ本体と、第２光コネクタ接続部を備えるプレートとを有し、前記プレートは、前記トレイ本体に対して分離可能であり、前記筐体に対して固定可能であることを特徴とする光ファイバ収容トレイである。
【０００７】
本発明の他の特徴については、後述する明細書及び図面の記載により明らかにする。
【発明の効果】
【０００８】
本発明の幾つかの実施形態によれば、光配線ユニット内部の部品のメンテナンス作業を容易に行うことができる。
【図面の簡単な説明】
【０００９】
【図１】図１は、本実施形態の光配線ユニット１０を前側から見た斜視図である。
【図２】図２は、本実施形態の光配線ユニット１０を後側から見た斜視図である。
【図３】図３Ａは、本実施形態の光ファイバ収容トレイ１２の平面図である。図３Ｂは、本実施形態の光ファイバ収容トレイ１２を下側から見た斜視図である。
【図４】図４Ａは、プレート３０とトレイ本体２０とが分離した状態を示す本実施形態の光ファイバ収容トレイ１２の斜視図である。図４Ｂは、プレート３０とトレイ本体２０とが分離した状態を示す本実施形態の光ファイバ収容トレイ１２の平面図である。
【図５】図５Ａは、保持部本体４１が保持片４２を保持した状態の保持部４０の平面図である。図５Ｂは、保持部本体４１による保持片４２の保持を解除した状態の保持部４０の平面図である。
【図６】図６は、蓋部５０を備えた光ファイバ収容トレイ１２の断面を示す図である。
【図７】図７は、プレート固定用ねじ３６を外した状態の光配線ユニット１０の斜視図である。
【図８】図８は、光ファイバ収容トレイ１２を取り外した状態の光配線ユニット１０の斜視図である。
【発明を実施するための形態】
【００１０】
後述する明細書及び図面の記載から、少なくとも以下の事項が明らかとなる。
【００１１】
筐体に対してスライド可能な光ファイバ収容トレイであって、第１光コネクタ接続部を備えるトレイ本体と、第２光コネクタ接続部を備えるプレートとを有し、前記プレートは、前記トレイ本体に対して分離可能であり、前記筐体に対して固定可能であることを特徴とする光ファイバ収容トレイが明らかとなる。このような光ファイバ収容トレイによれば、光配線ユニット内部の部品のメンテナンス作業を容易に行うことができる。
【００１２】
前記トレイ本体と前記プレートとの相対位置を保持する保持部をさらに有することが望ましい。これにより、光ファイバ収容トレイの筐体に対する位置を保持することができる。
【００１３】
前記保持部は、保持部本体と、前記保持部本体に保持される保持片とを備え、前記保持部本体又は前記保持片が弾性変形することにより、前記保持部本体が前記保持片を保持可能となることが望ましい。これにより、光ファイバ収容トレイの筐体に対する位置を保持することができる。
【００１４】
前記トレイ本体との間で光ファイバを収容する蓋部をさらに有することが望ましい。これにより、光ファイバ収容トレイ毎に光ファイバを収容することができ、光ファイバ収容トレイをスライドする時に、光ファイバが他の光ファイバ収容トレイ等に引っ掛かってしまうことを抑制することができる。
【００１５】
前記トレイ本体と前記プレートとの相対移動の量を所定量で規制するストッパが設けられていることが望ましい。これにより、光ファイバ収容トレイをスライドする際に、筐体に固定されたプレートを置き去りにしてしまうことを抑制することができる。
【００１６】
前記ストッパは、前記トレイ本体と前記プレートとの相対移動の方向と交差する方向に突出するように前記蓋部に設けられていることが望ましい。これにより、光ファイバ収容トレイをスライドする際に、筐体に固定されたプレートを置き去りにしてしまうことを抑制することができる。
【００１７】
筐体と、前記筐体に対してスライド可能な光ファイバ収容トレイとを有する光配線ユニットであって、前記光ファイバ収容トレイは、第１光コネクタ接続部を備えるトレイ本体と、第２光コネクタ接続部を備えるプレートとを有し、前記プレートは、前記トレイ本体に対して分離可能であり、前記筐体に対して固定可能であることを特徴とする光配線ユニットが明らかとなる。このような光配線ユニットによれば、光配線ユニット内部の部品のメンテナンス作業を容易に行うことができる。
【００１８】
筐体と、前記筐体に対してスライド可能な光ファイバ収容トレイとを有する光配線ユニットの製造方法であって、前記光ファイバ収容トレイは、第１光コネクタ接続部を備えるトレイ本体と、第２光コネクタ接続部を備えるプレートとを有し、前記プレートは、前記トレイ本体に対して分離可能であり、前記筐体に前記光ファイバ収容トレイをスライドさせて挿入すること、前記筐体に対して前記プレートを固定することを特徴とする光配線ユニットの製造方法が明らかとなる。このような光配線ユニットの製造方法によれば、光配線ユニット内部の部品のメンテナンス作業を容易に行うことができる。
【００１９】
＝＝＝本実施形態＝＝＝
＜光配線ユニット１０の全体構成＞
図１は、本実施形態の光配線ユニット１０を前側から見た斜視図である。図２は、本実施形態の光配線ユニット１０を後側から見た斜視図である。なお、図１及び図２では、筐体１１の上板と、光ファイバ収容トレイ１２の蓋部とが取り外された状態の光配線ユニット１０を図示している。
【００２０】
以下の説明では、図に示すように各方向を定義する。すなわち、光配線ユニット１０の筐体１１に対して光ファイバ収容トレイ１２をスライドさせる方向を「前後方向」とし、光ファイバ収容トレイ１２を引き出す側を「前」とし、逆側（光ファイバ収容トレイ１２を押し込む側）を「後」とする。なお、前後方向のことを「引き出し方向」又は「押し込み方向」と呼ぶことがある。また、光配線ユニット１０の前側の面を「正面」、光配線ユニット１０の後側の面を「背面」と呼ぶことがある。また、複数の光ファイバ収容トレイ１２が積み重なる方向を「上下方向」とし、トレイ本体２０の底板から見て押さえ部７０の側を「上」とし、逆側を「下」とする。また、「前後方向」及び「上下方向」と直交する方向を「左右方向」とし、前から後を見た時の右側を「右」とし、逆側を「左」とする。
【００２１】
光配線ユニット１０は、複数心を有する光ファイバケーブルを単心毎の光ファイバケーブルに分岐すると共に、分岐された単心の光ファイバケーブルの各端部が光配線ユニット１０の外部の機器と接続可能に成端された装置である。光配線ユニット１０は、光接続箱と呼ぶことがある。さらに、光配線ユニット１０は、光成端箱又は光配線箱と呼ぶこともある。図１及び図２に示すように、本実施形態の光配線ユニット１０では、複数心を有する光ファイバケーブル部分から単心毎の光ファイバケーブル部分にあらかじめ分岐された光ファイバケーブル１が光ファイバ収容トレイ１２（後述）に収容されている。本実施形態では、光ファイバケーブル１として、ファンアウトコード（ファンアウトケーブル）が使用される。但し、光ファイバケーブル１として、ファンアウトコードが使用されなくても良い。例えば、光配線ユニット１０内に分岐部が設けられ、分岐部において複数心を有する光ファイバケーブルと、単心の各光ファイバケーブルとが接続されても良い。
【００２２】
光配線ユニット１０は、筐体１１と、複数の光ファイバ収容トレイ１２とを有する。
【００２３】
筐体１１は、複数の光ファイバ収容トレイ１２を収容する部材である。また、筐体１１は、不図示のラックに取り付けられることで、光配線ユニット１０をラックに固定する部材でもある。筐体１１の正面が開口していることにより、光ファイバ収容トレイ１２を筐体１１に対して前側に引き出すことができる。
【００２４】
光ファイバ収容トレイ１２は、光ファイバケーブル１を収容する部材である。図１及び図２に示すように、本実施形態の光ファイバ収容トレイ１２は、板状に形成されている。本実施形態の光配線ユニット１０では、複数（ここでは、３個）の光ファイバ収容トレイ１２が上下方向に積み重ねられている。但し、本実施形態の光配線ユニット１０において光ファイバ収容トレイ１２が積み重ねられる方向や数はこの限りではない。また、光ファイバ収容トレイ１２は、筐体１１に対してスライド可能に設けられている。本実施形態の光配線ユニット１０では、光ファイバ収容トレイ１２は、筐体１１に対して前後方向に移動可能である。これにより、光ファイバ収容トレイ１２を筐体１１から引き出したり、引き出した光ファイバ収容トレイ１２を筐体１１に押し込むことができる。
【００２５】
また、光ファイバ収容トレイ１２には光ファイバケーブル１が収容されている。光ファイバ収容トレイ１２の前側にはトレイ本体側光アダプタ２５が設けられ、光ファイバ収容トレイ１２の後側にはプレート側光アダプタ３５が設けられている。前述した光ファイバケーブル１の複数心側の端部がプレート側光アダプタ３５に接続可能であり、分岐された後の単心側の端部がトレイ本体側光アダプタ２５に接続可能となっている。光ファイバケーブル１の両端部には不図示の光コネクタプラグが設けられており、プレート側光アダプタ３５及びトレイ本体側光アダプタ２５にそれぞれの光コネクタプラグが挿入されることでプレート側光アダプタ３５及びトレイ本体側光アダプタ２５に接続可能となる。なお、光ファイバケーブル１の両端部に光コネクタプラグと、それぞれが接続する光アダプタが設けられるのではなく、光コネクタレセプタクルが設けられても良い。また、トレイ本体側光アダプタ２５は、光アダプタ保持部６０を介してトレイ本体２０に取り付けられ、上側から押さえ部７０により押さえられている。光ファイバ収容トレイ１２には、光ファイバケーブル１以外の部品が収容されても良い。
【００２６】
なお、図１及び図２では、一部の光ファイバケーブル１（ここでは、２組）のみ光ファイバ収容トレイ１２に収容されている様子を図示している。実際には、複数（ここでは、４個）のプレート側光アダプタ３５に接続される分だけ光ファイバケーブル１を光ファイバ収容トレイ１２に収容することができる。また、図１及び図２においては、光ファイバケーブル１とプレート側光アダプタ３５及びトレイ本体側光アダプタ２５との接続箇所の図示を省略している。
【００２７】
本実施形態の光配線ユニット１０は、光ファイバ収容トレイ１２を前後方向に移動可能にするスライドレール８１（図１及び図２では不図示、後述する図３Ｂを参照）を有する。スライドレール８１は、固定側レールと可動側レールとを有する。例えば、スライドレール８１の固定側レールが筐体１１に取り付けられ、スライドレール８１の可動側レールが光ファイバ収容トレイ１２に取り付けられている。可動側レールが固定側レールに対して前後方向に移動することで、光ファイバ収容トレイ１２が筐体１１に対して前後方向に移動することができる。すなわち、光ファイバ収容トレイ１２が筐体１１に対してスライド可能となる。なお、スライドレール８１は、光ファイバ収容トレイ１２の左右に一対ずつ設けられている。但し、スライドレール８１は、設けられなくても良い。
【００２８】
また、本実施形態の光配線ユニット１０は、光ファイバ収容トレイ１２を筐体１１に対して取り外し可能にする連結機構８２（図１及び図２では不図示、後述する図３Ｂを参照）を有する。連結機構８２は、光ファイバ収容トレイ１２とスライドレール８１との間に設けられている。連結機構８２が光ファイバ収容トレイ１２側部分とスライドレール８１側部分に分離することで、光ファイバ収容トレイ１２を筐体１１から容易に取り外すことができる。なお、連結機構８２は、光ファイバ収容トレイ１２の左右に一対ずつ設けられている。但し、連結機構８２は、設けられなくても良い。
【００２９】
＜光ファイバ収容トレイ１２＞
図３Ａは、本実施形態の光ファイバ収容トレイ１２の平面図である。図３Ｂは、本実施形態の光ファイバ収容トレイ１２を下側から見た斜視図である。なお、図３Ａでは、光ファイバ収容トレイ１２が収容される筐体１１を破線で図示している。
【００３０】
光ファイバ収容トレイ１２は、トレイ本体２０と、プレート３０と、保持部４０とを有する。
【００３１】
トレイ本体２０は、光ファイバケーブル１を載置する部材であると共に、トレイ本体側光アダプタ２５を有する部材である。光ファイバケーブル１は、トレイ本体２０の底板上に載置されている。また、複数のトレイ本体側光アダプタ２５が、トレイ本体２０の前側に配列されている。トレイ本体側光アダプタ２５は、光配線ユニット１０の内外の光ファイバケーブルをコネクタ接続可能にする部材である。図１及び図２に示すように、本実施形態では、トレイ本体側光アダプタ２５を介して光コネクタプラグ同士が接続されることにより、光配線ユニット１０の筐体１１内の光ファイバケーブル１と、光配線ユニット１０の筐体１１外の光ファイバケーブルとがコネクタ接続可能となる。本実施形態では、トレイ本体側光アダプタ２５は、ＬＣコネクタ同士を接続する光アダプタであるが、これに限られない。なお、トレイ本体側光アダプタ２５のことを、「第１光コネクタ接続部２５」と呼ぶことがある。図１及び図２に示すように、本実施形態の光配線ユニット１０における光ファイバ収容トレイ１２では、複数（ここでは１２個）のトレイ本体側光アダプタ２５が左右方向に配列されている。そして、それぞれのトレイ本体側光アダプタ２５は、単心タイプの光コネクタプラグの接続口が４個配列されている。このため、光ファイバ収容トレイ１２は左右方向に計４８個の光コネクタプラグの接続口を有する。但し、トレイ本体側光アダプタ２５の配列方向や数はこの限りではない。また、トレイ本体側光アダプタ２５の光コネクタプラグの接続口の配列方向や数もこの限りではない。
【００３２】
プレート３０は、プレート側光アダプタ３５を有する部材であると共に、筐体１１に対して固定可能な部材である。図１及び図２に示すように、本実施形態のプレート３０は、板状に形成されている。そして、プレート３０は、トレイ本体２０の上に載置されている。但し、後述するように、プレート３０は、トレイ本体２０に対して移動可能に設けられている。すなわち、トレイ本体２０とプレート３０とは相対移動が可能となっている。プレート３０が、トレイ本体２０に対して後側に移動すると（プレート３０から見るとトレイ本体２０がプレート３０に対して前側に移動すると）、プレート３０がトレイ本体２０に対して分離されることになる。すなわち、プレート３０は、トレイ本体２０に対して分離可能である。
【００３３】
前述した図２に示すように、プレート３０は、プレート固定用ねじ３６により、筐体１１に対して固定可能である。すなわち、筐体１１の外側からプレート固定用ねじ３６でプレート３０を筐体１１にねじ留めすることにより、プレート３０が筐体１１に固定される。プレート固定用ねじ３６を外すことにより、プレート３０を筐体１１から取り外すことができる。なお、本実施形態では、一つのプレート３０に対して、左右２つのプレート固定用ねじ３６で筐体１１に対して固定されている。但し、プレート固定用ねじ３６の配列方向や数はこの限りではない。また、プレート３０が筐体１１に対して固定可能であれば、プレート固定用ねじ３６が使用されなくても良い。
【００３４】
本実施形態のプレート３０では、複数のプレート側光アダプタ３５が、プレート３０の後側に配列されている。プレート側光アダプタ３５は、光配線ユニット１０の内外の光ファイバケーブルをコネクタ接続可能にする部材である。図１及び図２に示すように、本実施形態では、プレート側光アダプタ３５を介して光コネクタプラグ同士が接続されることにより、光配線ユニット１０の筐体１１内の光ファイバケーブル１と、光配線ユニット１０の筐体１１外の光ファイバケーブルとがコネクタ接続可能となる。本実施形態では、プレート側光アダプタ３５は、ＭＰＯコネクタ同士を接続する光アダプタであるが、これに限られない。なお、プレート側光アダプタ３５のことを、「第２光コネクタ接続部３５」と呼ぶことがある。図１及び図２に示すように、本実施形態の光配線ユニット１０における光ファイバ収容トレイ１２では、複数（ここでは４個）のプレート側光アダプタ３５が左右方向に配列されている。そして、それぞれのプレート側光アダプタ３５は１２心タイプの光コネクタプラグの接続口を有する。但し、プレート側光アダプタ３５の配列方向や数はこの限りではない。
【００３５】
前述したように、プレート側光アダプタ３５はプレート３０に設けられている。そして、プレート３０は、トレイ本体２０に対して分離可能であり、筐体１１に対して固定可能である。言い換えると、プレート３０は、筐体１１に対する固定を解除可能であり、トレイ本体２０と共に筐体１１に対して移動することも可能である。したがって、プレート側光アダプタ３５が設けられたプレート３０は、トレイ本体２０と共に作業者側（前側）に引き出すことが可能である。つまり、光ファイバ収容トレイ１２の後側に配列されたプレート側光アダプタ３５を作業者側（前側）に引き出すことができる。これにより、光配線ユニット１０内部の部品のメンテナンス作業を容易に行うことができる。
【００３６】
保持部４０は、トレイ本体２０と、プレート３０との相対位置を保持する部材である。保持部４０は、トレイ本体２０とプレート３０との間に設けられている。また、保持部４０は、二つの部位（後述する保持部本体４１と保持片４２）に分離可能である。これにより、トレイ本体２０とプレート３０とが分離可能となる。保持部４０の詳細な構成については、後述する。
【００３７】
＜光ファイバ収容トレイ１２の引き出し動作＞
図４Ａは、プレート３０とトレイ本体２０とが分離した状態を示す本実施形態の光ファイバ収容トレイ１２の斜視図である。図４Ｂは、プレート３０とトレイ本体２０とが分離した状態を示す本実施形態の光ファイバ収容トレイ１２の平面図である。
【００３８】
前述したように、本実施形態の光配線ユニット１０では、光ファイバ収容トレイ１２が筐体１１に対してスライド可能に設けられている。また、光ファイバ収容トレイ１２を構成するトレイ本体２０及びプレート３０について、プレート３０がトレイ本体２０に対して分離可能である。さらに、プレート３０が筐体１１に対して固定可能である。したがって、プレート３０を筐体１１に固定した状態のとき、作業者が光ファイバ収容トレイ１２を筐体１１から引き出すと、図４Ａ及び図４Ｂに示すように、光ファイバ収容トレイ１２を構成するトレイ本体２０のみが筐体１１から引き出され、プレート３０は筐体１１に固定されたままとなる。すなわち、プレート側光アダプタ３５を光ファイバ収容トレイ１２の後側に配列された状態を維持することができる。
【００３９】
なお、前述した図１及び図２に示すように、本実施形態の光配線ユニット１０では、プレート側光アダプタ３５とトレイ本体側光アダプタ２５とを接続する光ファイバケーブル１は、引き出し余長を確保して光ファイバ収容トレイ１２に収容されている。光ファイバケーブル１の引き出し余長は、トレイ本体側光アダプタ２５が設けられたトレイ本体２０が引き出され、プレート側光アダプタ３５が設けられたプレート３０との間が離間しても、光ファイバケーブル１に過度な引っ張り力が付与されないようにするための余長である。
【００４０】
なお、本実施形態の光配線ユニット１０では、トレイ本体２０にスリット部２２が形成されている。スリット部２２は、図４Ａのトレイ本体２０の一部において破線で囲まれた箇所で示している、また、図４Ａの矢印で引き出された先に破線で囲まれた部分は、スリット部２２の拡大図を示している。但し、スリット部２２の拡大図は、スリット部２２の説明をわかりやすくするために、スリット部２２を前側から後側に見た図を示している。
【００４１】
スリット部２２は、プレート３０が差し込まれる部位である。スリット部２２は、トレイ本体２０の後側に設けられている。また、スリット部２２は、プレート３０を挟みこむように、プレート３０の左右両側に一対設けられている。これにより、プレート３０のトレイ本体２０に対する上下方向及び左右方向の移動が規制されている。
【００４２】
＜保持部４０＞
図５Ａは、保持部本体４１が保持片４２を保持した状態の保持部４０の平面図である。図５Ｂは、保持部本体４１による保持片４２の保持を解除した状態の保持部４０の平面図である。
【００４３】
前述したように、保持部４０は、トレイ本体２０と、プレート３０との相対位置を保持する部材である。保持部４０は、トレイ本体２０に設けられた保持部本体４１と、プレート３０に設けられた保持片４２とを有する。保持部本体４１は、保持片４２を挟むことで保持する部位である。図５Ａに示すように、保持片４２を挟む保持部本体４１の腕部が左右に広げられることで、保持片４２は保持部本体４１による保持から解除され、保持部本体４１と保持片４２とが離間することができる。また、図５Ｂに示すように、保持部本体４１と保持片４２とが離間した状態から、保持片４２が保持部本体４１の腕部の間に挿入されることで、再び保持片４２が保持部本体４１により保持される。保持片４２は、保持部本体４１に保持される部位である。保持片４２は、プレート３０の前側の端部に設けられた凸状の部位である。図５Ａ及び図５Ｂに示すように、保持片４２は、左右に膨らんだ形状に形成されている。このため、図５Ａに示すように、保持部本体４１が保持片４２を保持した状態から、保持片４２と保持部本体４１とが離間する向きに移動することで、保持片４２の左右に膨らんだ部位が保持部本体４１の腕部が左右に押し広げるように力を加える。そして、保持片４２は保持部本体４１による保持から解除されることになる。また、図５Ｂに示すように、保持片４２が保持部本体４１の腕部の間に挿入される際にも、保持片４２の左右に膨らんだ部位が保持部本体４１の腕部が左右に押し広げるように力を加える。そして、再び保持片４２が保持部本体４１により保持されることになる。
【００４４】
このように、保持部本体４１と保持片４２とが、前後方向に相対移動することで、保持部本体４１が保持片４２を保持した状態と、保持部本体４１による保持片４２の保持を解除した状態とを切り替えることができる。すなわち、保持部本体４１が弾性変形することにより、保持部本体４１が保持片４２を保持可能となる。但し、保持片４２が弾性変形することにより、保持部本体４１が保持片４２を保持可能となっても良い。また、保持部本体４１がプレート３０に設けられ、保持片４２がトレイ本体２０に設けられても良い。保持部４０は、前述したように弾性変形する保持部本体４１又は保持片４２により構成されるのではなく、磁石により構成されてもよい。但し、保持部４０が磁石により構成された場合、保持片４２と保持部本体４１とが近づく際に、磁石の引き合う力により、保持部本体４１が設けられたトレイ本体２０と、保持片４２が設けられたプレート３０とが不意に移動してしまうことがある。このため、作業者の手動によりトレイ本体２０とプレート３０との移動を制御できる図５Ａ及び図５Ｂで示す保持部４０が望ましい。
【００４５】
図１〜図３Ａに示すように、光ファイバ収容トレイ１２が筐体１１から引き出されていない状態のとき、保持部４０は、トレイ本体２０と、プレート３０との相対位置を保持している。前述したように、プレート３０が筐体１１に対して固定されているので、作業者が光ファイバ収容トレイ１２を筐体１１から引き出そうとすると、トレイ本体２０とプレート３０とが離間する向きに力が加えられる。トレイ本体２０とプレート３０とが離間する向きに所定の力が加えられると、トレイ本体２０に設けられた保持部本体４１と、プレート３０に設けられた保持片４２とが離間する向き（前後方向）に力が加えられることで、保持部本体４１の腕部が左右に押し広げられ、保持部本体４１による保持片４２の保持を解除することができる。また、作業者が引き出した光ファイバ収容トレイ１２を筐体１１に押し込もうとすると、トレイ本体２０とプレート３０とが近づく向きに力が加えられる。トレイ本体２０とプレート３０とが近づく向きに所定の力が加えられると、トレイ本体２０に設けられた保持部本体４１と、プレート３０に設けられた保持片４２とが、近づく向き（前後方向）に力が加えられることで、保持部本体４１の腕部が左右に押し広げられ、再び保持部本体４１が保持片４２の保持することができる。
【００４６】
＜蓋部５０＞
図６は、蓋部５０を備えた光ファイバ収容トレイ１２の断面を示す図である。なお、図６では、積み重なった複数の光ファイバ収容トレイ１２を図示しており、トレイ本体側光アダプタ２５及びプレート側光アダプタ３５の図示を省略している。また、図６に示すように、複数の光ファイバ収容トレイ１２のうち、中段の光ファイバ収容トレイ１２が引き出されている。このように、光ファイバ収容トレイ１２が引き出された状態を「引き出し状態」と呼ぶことがある。また、図６に示すように、複数の光ファイバ収容トレイ１２のうち、上段及び下段の光ファイバ収容トレイ１２は引き出されていない。このように、光ファイバ収容トレイ１２が引き出されていない状態を「初期状態」又は「押込み状態」と呼ぶことがある。引き出し状態となっている光ファイバ収容トレイ１２では、トレイ本体側光アダプタ２５が他の光ファイバ収容トレイ１２のトレイ本体側光アダプタ２５よりも前側に引き出されているので、作業者は、トレイ本体側光アダプタ２５に対する光コネクタプラグの挿抜作業を容易に行うことができる。そして、引き出し状態となっている光ファイバ収容トレイ１２を押し込むと、再び初期状態（又は押込み状態）となる。
【００４７】
図６に示すように、本実施形態の光ファイバ収容トレイ１２では、蓋部５０がトレイ本体２０との間で光ファイバケーブル１を収容する。前述したように、光ファイバ収容トレイ１２は、複数の光ファイバケーブル１を収容している。さらに、それぞれの光ファイバケーブル１は、図６に示すように光ファイバ収容トレイ１２が引き出された際に、過度に引っ張られることを抑制するために、所定の引き出し余長を確保して光ファイバ収容トレイ１２に収容されている。このため、引き出し余長を有する光ファイバケーブル１が、トレイ本体２０の底板に対して浮き上がってしまうことがある。本実施形態の光ファイバ収容トレイ１２における蓋部５０は、このように浮き上がった光ファイバケーブル１を上から押さえて収容する。これにより、本実施形態の光配線ユニット１０では、光ファイバ収容トレイ１２毎に光ファイバケーブル１を収容することができる。したがって、光ファイバ収容トレイ１２を引き出す時に、光ファイバケーブル１が上段の光ファイバ収容トレイ１２等に引っ掛かってしまうことを抑制することができる。但し、光ファイバ収容トレイ１２に蓋部５０が設けられなくても良い。
【００４８】
図６に示すように、本実施形態では、蓋部５０にストッパ５１が設けられている。ストッパ５１は、トレイ本体２０とプレート３０との相対移動の量を所定量で規制する部位である。ストッパ５１は、蓋部５０の後側に設けられ、下側に突出するように形成されている。すなわち、ストッパ５１は、前後方向（トレイ本体２０とプレート３０との相対移動の方向）と交差する方向に突出するように設けられている。したがって、図６に示すように、中段の光ファイバ収容トレイ１２が引き出された際、ストッパ５１がプレート３０の立設部３１に当たり、これ以上光ファイバ収容トレイ１２が引き出されなくなる。これにより、光ファイバ収容トレイ１２において、トレイ本体２０とプレート３０とは完全に分離せず、ストッパ５１がプレート３０の立設部３１に当たる段階でトレイ本体２０とプレート３０との相対移動が規制される。これにより、光ファイバ収容トレイ１２を引き出す（スライドする）際に筐体１１に固定されたプレート３０を置き去りにしてしまうことを抑制することができる。但し、光ファイバ収容トレイ１２にストッパ５１が設けられなくても良い。
【００４９】
＜光ファイバ収容トレイ１２の取り外し動作＞
図７は、プレート固定用ねじ３６を外した状態の光配線ユニット１０の斜視図である。図８は、光ファイバ収容トレイ１２を取り外した状態の光配線ユニット１０の斜視図である。
【００５０】
光ファイバ収容トレイ１２を取り外す際、作業者は、図７に示すように、まず光配線ユニット１０の背面に設けられたプレート固定用ねじ３６を外す。これにより、プレート３０が筐体１１に固定されていた状態が解除され、プレート３０とトレイ本体２０とが共に取り外すことが可能となる。この際、保持部４０によりプレート３０とトレイ本体２０との相対位置が保持されているので、図８に示すように、プレート３０とトレイ本体２０とが分離せずに光ファイバ収容トレイ１２全体を容易に取り外すことができる。また、本実施形態の光ファイバ収容トレイ１２では、光ファイバ収容トレイ１２毎に光ファイバケーブル１を収容している。また、光ファイバケーブル１がトレイ本体側光アダプタ２５及びプレート側光アダプタ３５との接続を維持したまま光ファイバ収容トレイ１２を取り外すことができる。
【００５１】
なお、例えば光配線ユニット１０の製造時において、光ファイバ収容トレイ１２を筐体１１に挿入する際も、光ファイバ収容トレイ１２毎に光ファイバケーブル１が収容されているので、光ファイバケーブル１がトレイ本体側光アダプタ２５及びプレート側光アダプタ３５との接続を維持したまま光ファイバ収容トレイ１２を挿入することができる。ファイバ収容トレイ１２を筐体１１に挿入した後、光配線ユニット１０の背面に設けられたプレート固定用ねじ３６を締め、プレート３０を筐体１１に固定する。これにより、前述した図４Ａ及び図４Ｂに示すように、光ファイバ収容トレイ１２を構成するトレイ本体２０のみが筐体１１から引き出され、プレート３０は筐体１１に固定されたままとなる。すなわち、プレート側光アダプタ３５を光ファイバ収容トレイ１２の後側に配列された状態を維持することができる。
【００５２】
＝＝＝その他＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００５３】
１  光ファイバケーブル、１０  光配線ユニット、
１１  筐体、１２  光ファイバ収容トレイ、２０  トレイ本体、
２２  スリット部、２５  トレイ本体側光アダプタ（第１光コネクタ接続部）、
３０  プレート、３１  立設部、
３５  プレート側光アダプタ（第２光コネクタ接続部）、
３６  プレート固定用ねじ、４０  保持部、４１  保持部本体、
４２  保持片、５０  蓋部、５１  ストッパ、６０  光アダプタ保持部、
７０  押さえ部、８１  スライドレール、８２  連結機構
【図１】
2019211698.tif 000003
【図２】
2019211698.tif 000004
【図３】
2019211698.tif 000005
【図４】
2019211698.tif 000006
【図５】
2019211698.tif 000007
【図６】
2019211698.tif 000008
【図７】
2019211698.tif 000009
【図８】
2019211698.tif 000010